(57)【特許請求の範囲】
【請求項１】
前後に配置したフロントパネル及びリアパネルの下部をベースパネルに固定し、前記フロントパネル及びリアパネルの上端面にトップパネルを被せて固定するパネルの固定構造において、前記フロントパネル及びリアパネルそれぞれにおける対向する端面に面衝合する縦端面部が形成され、一方のパネルの縦端面部に開口側へ向けて下り勾配を有するＵ字状溝を設けると共に当該縦端面部の下部にベースパネルの起立部に係合する切欠を設け、他方のパネルに逆円錐台状の係止凸部を設け、前記Ｕ字状溝を前記逆円錐台状の係止凸部に係合させ、Ｕ字状溝が形成された前記一方のパネルのＵ字状溝とは異なる位置の部分をベースパネルへネジ固定し、トップパネルを逆円錐台状の係止凸部が形成された前記他方のパネルの上端面にネジ固定したことを特徴とするパネルの固定構造。
【発明の詳細な説明】
【０００１】
【発明の属する技術分野】
本発明は、パネルの固定に際し、逆円錐台状の係止凸部とＵ字状溝の係合を利用することにより、使用する固定ネジの本数を減らすようにしたパネルの固定構造に関するものである。
【０００２】
【従来の技術】
機器本体に対してパネルを取り付ける方法としては、図６に示す方法が一般的である。機器本体（本体フレーム）１に対して周辺枠２を備えたパネル３を取り付ける場合は、パネル３の四隅部において、その正面側からネジ４で固定するか又はパネル３の周辺枠２からネジ４で固定している。パネル３の四隅部で固定するのは、図７に示すように、四隅部を外してネジ４で固定すると、四隅部におけるパネル３と本体フレーム１との隙間を生じ易く、四隅部が浮いた状態となり、見栄えが悪く、また四隅部でパネル３が振動し、本体フレーム１との間でバタツキ音を発生させるからである。
【０００３】
また図８に示すように、ベースパネル５に対して二つの側面パネル（フロントパネルとリアパネル）６ａ，６ｂを立設し、これらの側面パネル６ａ及び６ｂにトップパネル７を被せて固定する冷却水供給装置等のパネルの固定構造では、これらの全てをネジ４で固定する必要がある。すなわち、フロントパネル６ａ及びリアパネル６ｂのベースパネル５への取り付けには、それぞれ左右で１本ずつの合計４本のネジ４が必要である。またフロントパネル６ａ及びリアパネル６ｂ同士の取り付けは、図９に示すように、リアパネル６ｂに段差８を設けて接合部の表面が面一になるようにネジ４で固定しており、左右で２本ずつの合計４本のネジ４が必要である。更に、トップパネル７のフロントパネル６ａ及びリアパネル６ｂへの取り付けには、２本以上を必要としていた。
【０００４】
【発明が解決しようとする課題】
このように図６に示す従来技術と、図８及び図９に示す従来技術とは、いずれもパネルを本体フレーム等へ取り付けるに際し、ネジ４の使用する本数が多く、取り付け作業及び取り外し作業に手間がかかり、メンテナンス等の作業が面倒であった。
【０００５】
【課題を解決するための手段】
本発明は従来の前記課題に鑑みてこれを改良除去したものであって、パネルの固定に際し、逆円錐台状の係止凸部とＵ字状溝の係合を利用することにより、使用する固定ネジの本数を減らすことのできるパネルの固定構造を提供せんとするものである。
而して、前記課題を解決するために本発明が採用した手段は、前後に配置したフロントパネル及びリアパネルの下部をベースパネルに固定し、前記フロントパネル及びリアパネルの上端面にトップパネルを被せて固定するパネルの固定構造において、前記フロントパネル及びリアパネルそれぞれにおける対向する端面に面衝合する縦端面部が形成され、一方のパネルの縦端面部に開口側へ向けて下り勾配を有するＵ字状溝を設けると共に当該縦端面部の下部にベースパネルの起立部に係合する切欠を設け、他方のパネルに逆円錐台状の係止凸部を設け、前記Ｕ字状溝を前記逆円錐台状の係止凸部に係合させ、Ｕ字状溝が形成された前記一方のパネルのＵ字状溝とは異なる位置の部分をベースパネルへネジ固定し、トップパネルを逆円錐台状の係止凸部が形成された前記他方のパネルの上端面にネジ固定したことを特徴とするパネルの固定構造である。
【０００６】
このようにパネルの一方側を逆円錐台状の係止凸部とＵ字状溝とを利用して係合させ、パネルの他方側をネジ固定することにより、使用するネジの本数を少なくとも半減させることが可能である。
【０００７】
【発明の実施の形態】
（参考技術１）
はじめに本発明に関連する参考技術について説明する。なお、従来の場合と同一符号は同一部材である。図１の図（Ａ）は機器本体（本体フレーム）１とパネル３とを示す斜視図、図（Ｂ）はパネル３を本体フレーム１へ取り付けた状態を示す側面図、図（Ｃ）は本体フレーム１側の係止凸部９を示す部分拡大縦断面図である。同図に示す如く、本体フレーム１の左右側面部１ａ及び１ｂに、皿ネジ９ａとネジカラー９ｂとからなる係止凸部９をそれぞれ上下の２箇所に合計４個設けている。係止凸部９は、ネジカラー９ｂが円錐台形の筒状をなしており、図（Ｃ）に示すように、皿ネジ９ａの螺子部分を挿通してテーパー面状の頭部でネジカラー９ｂを本体フレーム１側へ固定するようになっている。係止凸部９は、ネジカラー９ｂが固定された状態では、逆円錐台状をなしている。
【０００８】
一方、パネル３には、周辺枠２の左右両側面部において、前記係止凸部９に対応する位置に、傾斜したＵ字状溝１０を形成している。該Ｕ字状溝１０は、周辺枠２の端面側（Ｕ字状溝１０の開口側）へ向けて下り勾配となっている。またこのＵ字状溝１０の溝幅は、ネジカラー９ｂの根元部（小径側）と同径か若しくはそれよりもやや大径であり、ネジカラー９ｂの拡径した先端側よりも小径とされている。
【０００９】
パネル３の取り付けは、パネル３の上部側から本体フレーム１の上部に被せるようにし、周辺枠２の左右両側面部に形成した上下のＵ字状溝１０を、本体フレーム１の係止凸部９の根元部に係合させてＵ字状溝１０の奥部まで押込む。そして、この状態でパネル３の正面側からネジ４でパネル３の下部側の２箇所を本体フレーム１へ固定すればよい。このようなパネル３の固定構造であれば、上下方向に対しては、ネジ４の働き及びＵ字状溝１０と係止凸部９の係合による働きによりパネル３が移動することができず、リジッドな固定が得られる。また前後方向に対しては、パネル３の上部側では、上部側の傾斜したＵ字状溝１０と係止凸部９との係合により、パネル３が動くことがなく、下部側では下部側の傾斜したＵ字状溝１０と係止凸部９との係合による働き及びネジ４の働きにより、パネル３が動くことがないので、前後方向に対してもリジッドな取り付けが可能である。従って、パネル３が機器の駆動等により、振動を起こすというような問題はない。なお、Ｕ字状溝１０と係止凸部９との係合は、その上部側に設ける構成であっても同様の効果を得ることが可能である。
【００１０】
（参考技術２）
図２及び図３は本発明の第２の参考技術に関するものであり、図２は全体を示す分解斜視図、図３は組付後の縦断面側面図であって、箱状本体フレーム１１の左右両側面にサイドパネル１２ａ及び１２ｂを取り付けるようにし、箱状本体フレーム１１の前後面にフロントパネル１３ａとリアパネル１３ｂとを取り付けるようにし、箱状本体フレーム１１の上面側にトップパネル１４を取り付けるようにしたものである。これらのパネルの取り付け要領は、以下に説明する通りである。
【００１１】
先ず、左右両側面にサイドパネル１２ａ及び１２ｂを取り付ける。これらのサイドパネル１２ａ及び１２ｂの取り付けは、図１に示すパネル３を本体フレーム１へ取り付ける場合と略同じである。つまり、サイドパネル１２ａ及び１２ｂの周辺枠にＵ字状溝１０を形成し、箱状本体フレーム１１に係止凸部９を形成し、これらのＵ字状溝１０と係止凸部９との係合を利用すると共に、ネジ４による締結力を利用してサイドパネル１２ａ及び１２ｂを箱状本体フレーム１１へ取り付ける。この取り付けにより、サイドパネル１２ａ及び１２ｂは、前後左右方向への移動が拘束され、リジッドな固定がなされる。図１の場合と異なるのは、図３に示す如く、係止凸部９の根元部にスペーサ１５が取り付けられている点と、Ｕ字状溝１０がこのスペーサ１５と係合する点にある。そのため、スペーサ１５は、サイドパネル１２ａ及び１２ｂの周辺枠の厚みに相当する隙間を形成するようにその厚みｔ（図３参照）が設定されており、またスペーサ１５の直径は、Ｕ字状溝１０の溝幅と同径か若しくはそれよりも若干小径とされている。
【００１２】
次に、フロントパネル１３ａとリアパネル１３ｂとを取り付ける。フロントパネル１３ａとリアパネル１３ｂの箱状本体フレーム１１に対向する面の前記係止凸部９と対応する位置には、ダルマ穴１６が形成されている。これらの両パネル１３ａ及び１３ｂの取り付けは、ダルマ穴１６の丸穴部１６ａを係止凸部９へその正面側から押込み、各パネル１３ａ及び１３ｂの裏面側をスペーサ１５に密着させる。そして、この状態で各パネル１３ａ及び１３ｂをそれぞれ下方向へ引き下げ、ダルマ穴１６の長穴部１６ｂと係止凸部９の根元部とを係合させればよい。これにより、フロントパネル１３ａとリアパネル１３ｂとは、その左右方向及び前後方向への移動が拘束される。ところが、上方向へは移動することが可能である。この上方向に対しては、次に説明するトップパネル１４の取り付けを利用して同時に拘束するようにしている。
【００１３】
トップパネル１４の取り付けは、トップパネル１４の大きさが、箱状の本体フレーム１１と、左右のサイドフレーム１２ａ及び１２ｂと、前後のフロントフレーム１３ａ及びリアフレーム１３ｂの全体を覆うように設定されている。そのため、ネジ４を利用してトップパネル１４を箱状本体フレーム１１の上面側へネジ固定することにより、同時にフロントパネル１３ａ及びリアパネル１３ｂの上方向への移動をも拘束することが可能である。このような取り付けであれば、各パネルの取り付けを全てネジ４で行う場合に比較してその使用本数を大幅に低減させることが可能であり、著しい作業性の向上が得られる。
【００１４】
（本発明の実施形態）
図４及び図５は本発明を冷却水供給装置２０へ適用した実施の形態に係るものであり、図４の図（Ａ）はフロントパネル１８ａとリアパネル１８ｂとの取付関係を示す斜視図、図（Ｂ）は全体を分解した側面図、図５は冷却水供給装置２０の縦断面側面図である。冷却水供給装置２０は、フロントパネル１８ａで囲まれた領域に冷却水槽２１が取り付けられており、リアパネル１８ｂで囲まれた領域には下部に加圧ポンプ２２が、上部に冷凍機器２３が取り付けられている。この実施の形態のフロントパネル１８ａとリアパネル１８ｂの対向する端面には、一定幅で面衝合する縦端面部２４，２５が形成されている。フロントパネル１８ａの縦端面部２４の上部側には、係止凸部９が設けられている。一方、リアパネル１８ｂの縦端面部２５の前記係止凸部９に対応する位置には、開口側へ向けて下り勾配のＵ字状溝１０が形成されている。またこの縦端面部２５の下部には、切欠２６が形成されている。切欠２６は、ベースパネル１７の長手方向と直交する向きに配設されることになり、ベースパネル１７の起立部１７ａの上端面１７ｂと当接するように構成されている。
【００１５】
これらの各パネルの取り付けは、冷却水供給装置２０の各機器類をベースパネル１７へ固定した後で行う。先ず、フロントパネル１８ａの下部をベースパネル１７の起立部１７ａへネジ４で固定し、またフロントパネル１８ａの一部を冷却水槽２１へも同じようにネジ４で固定する。続いて、リアパネル１８ｂの縦端面部２５に形成した切欠２６をベースパネル１７の起立部１７ａの上端面１７ｂに一旦載置し、この仮置きの状態からＵ字状溝１０を、フロントパネル１８ａの縦端面部２４に形成した係止凸部９へ嵌め込む。そして、フロントパネル１８ａ及びリアパネル１８ｂの縦端面部２４及び２５どうしを密着させ、リアパネル１８ｂの下部をベースパネル１７の起立部１７ａへネジ４で固定する。最後に、トップパネル１９を準備し、その周辺枠板１９ａをフロントパネル１８ａ及びリアパネル１８ｂの外周に被せてトップパネル１９の上面側からこれをネジ４でフロントパネル１８ａの上端面部２７へネジ固定すればよい。
【００１６】
このようにフロントパネル１８ａとリアパネル１８ｂとの取り付けは、フロントパネル１８ａの縦端面部２４に設けた係止凸部９と、リアパネル１８ｂの縦端面部２５に設けたＵ字状溝１０とを利用して行うことにより、ネジ４の使用本数を低減させることが可能である。また切欠２６を利用してリアパネル１８ｂをベースパネル１７の上端面１７ｂに仮置きすることにより、係止凸部９とＵ字状溝１０との係合作業が容易である。更に、トップパネル１９をフロントパネル１８ａとリアパネル１８ｂとに被せるようにしているので、フロントパネル１８ａ及びリアパネル１８ｂが外側へ逃げるということはない。しかも、トップパネル１９とフロントパネル１８ａとをネジ固定することにより、フロントパネル１８ａは下部側がベースパネル１７にネジ固定されているので、全体としてリジッドにネジ固定されることになる。更に、リアパネル１８ｂはＵ字状溝１０が係止凸部９と係合しているため、内側に逃げることもなく、その下部側はベースパネル１７にネジ固定されているので、このリアパネル１８ｂも全体が完全に固定されることになる。
【００１７】
【発明の効果】
以上説明したように、本発明にあっては、前後に配置したフロントパネル及びリアパネルの下部をベースパネルに固定し、それらの上端面にトップパネルを被せて固定するパネルの固定構造において、前記フロントパネル及びリアパネルの対向する端面に面衝合する縦端面部を形成し、一方のパネルの縦端面部に開口側へ向けて下り勾配を有するＵ字状溝を設けると共に当該縦端面部の下部にベースパネルの起立部に係合する切欠を設け、他方のパネルに逆円錐台状の係止凸部を設け、前記Ｕ字状溝を逆円錐台状の係止凸部に係合させ、Ｕ字状溝が形成された前記一方のパネルのＵ字状溝とは異なる位置の部分をベースパネルへネジ固定し、トップパネルを逆円錐台状の係止凸部が形成された前記他方のパネルの上端面にネジ固定したから、逆円錐台状の係止凸部とＵ字状溝とを利用してパネルを係合させた分だけ、ネジの本数を低減することが可能である。
【００１８】
また前記切欠を利用して当該パネルをベースパネルの上端面に仮置きすることができ、係止凸部とＵ字状溝との係合作業が容易である。更に、トップパネルをフロントパネル及びリアパネルの両方に被せるようにしており、これら両パネルが外側へ逃げるということはない。しかも、トップパネルと係止凸部が形成されたパネルとをネジ固定することにより、当該パネルはその全体がリジッドにネジ固定されることになる。更に、フロントパネルとリアパネルとはＵ字状溝が係止凸部と係合しているため、内側に逃げることがなく、全体がリジッドに固定されることになる。
【図面の簡単な説明】
【図１】  本発明に関連する第１の参考技術に係るものであり、図（Ａ）は機器本体とパネルとを示す斜視図、図（Ｂ）はパネルを機器本体へ取り付けた状態を示す側面図、図（Ｃ）は機器本体側の係止凸部を示す部分拡大縦断面図である。
【図２】  本発明に関連する第２の参考技術に係るものであり、パネルの全体を示す分解斜視図である。
【図３】  本発明に関連する第２の参考技術に係るものであり、組付後の一部を示す縦断面側面図である。
【図４】  本発明の実施の形態に係るものであり、図（Ａ）はフロントパネルとリアパネルとの取付関係を示す斜視図、図（Ｂ）は全体を分解した側面図である。
【図５】  本発明が適用される冷却水供給装置の縦断面側面図である。
【図６】  従来のパネルと機器本体との取付構造を示す斜視図である。
【図７】  従来のパネルのネジ取付位置の一例を示す斜視図である。
【図８】  従来の他のパネルの取付関係を示す分解斜視図である。
【図９】  図８におけるフロントパネルとリアパネルとの取付関係を示す横断平面図である。
【符号の説明】
１…機器本体（本体フレーム）、２…周辺枠、３…パネル、４…ネジ、９…係止凸部、１０…Ｕ字状溝、１１…機器本体、１２ａ，１２ｂ…サイドパネル、１３ａ…フロントパネル、１３ｂ…リアパネル、１４…トップパネル、１７…ベースパネル、１８ａ…フロントパネル、１８ｂ…リアパネル、１９…トップパネル、２０…冷却水供給装置
【図１】
0003749650.tif 000002
【図２】
0003749650.tif 000003
【図３】
0003749650.tif 000004
【図５】
0003749650.tif 000005
【図６】
0003749650.tif 000006
【図７】
0003749650.tif 000007
【図８】
0003749650.tif 000008
【図９】
0003749650.tif 000009
【図４】
0003749650.tif 000010